【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
レンズと、
電気−機械エネルギー変換作用により振動が励起される振動部材および該振動部材と圧接する接触部材を含み、前記レンズを光軸方向に駆動する振動型リニアアクチュエータと、
前記振動部材および前記接触部材のうち一方の部材を、該一方の部材の圧接面に略平行な第１の軸回りでの回動および該接触面に略直交する第２の軸の方向への移動が可能となるように保持する第１の保持機構と、
前記振動部材および前記接触部材のうち他方の部材を、該他方の部材の圧接面に略平行で、前記第１の軸に略直交する方向に延びる第３の軸回りでの回動が可能となるように保持する第２の保持機構とを有することを特徴とする光学機器。
【請求項２】
前記第１の保持機構が、前記レンズを保持して光軸方向に移動するレンズ保持部材に設けられ、前記第２の保持機構が、該光学機器の固定部に設けられていることを特徴とする請求項１に記載の光学機器。
【請求項３】
前記第１の軸は、光軸に略直交する面内に含まれる軸であることを特徴とする請求項１又は２に記載の光学機器。
【請求項４】
前記第１の保持機構は、前記一方の部材から前記第１の軸の方向に離れた位置を中心として回動可能な回動部材を介して前記一方の部材を前記第２の軸の方向に移動可能に保持することを特徴とする請求項１から３のいずれか１つに記載の光学機器。
【請求項５】
前記第３の軸が、前記他方の部材の圧接面内に含まれる軸であることを特徴とする請求項１から４のいずれか１つに記載の光学機器。
【請求項６】
前記第１の軸が、前記一方の部材の圧接面内に含まれる軸であることを特徴とする請求項１から５のいずれか１つに記載の光学機器。
【請求項７】
前記第２の保持機構は、球形状の部材により前記他方の部材を回動可能に保持することを特徴とする請求項１から６のいずれか１つに記載の光学機器。
【請求項８】
前記第１および第２の保持機構は、前記振動部材と前記接触部材との圧接力よりも小さな力を受けることにより前記一方および他方の部材の回動および移動を許容することを特徴とする請求項１から７のいずれか１つに記載の光学機器。
【請求項９】
レンズと、
電気−機械エネルギー変換作用により振動が励起される振動部材および該振動部材と圧接する接触部材を含み、前記レンズを光軸方向に駆動する振動型リニアアクチュエータとを有し、
前記振動部材および前記接触部材のうち一方の部材を、該一方の部材の圧接面内に含まれる軸回りで回動可能となるように保持する保持機構を有することを特徴とする光学機器。
【請求項１０】
前記保持機構は、球形状の部材により前記一方の部材を回動可能に保持することを特徴とする請求項９に記載の光学機器。
【請求項１１】
前記振動部材と前記接触部材のうち他方の部材を、該他方の部材から前記軸に略直交する方向に離れた位置を中心として回動可能な回動部材を介して保持する他の保持機構を有することを特徴とする請求項９又は１０に記載の光学機器。
【請求項１２】
前記他の保持機構は、前記振動部材と前記接触部材のうち他方の部材を、該他方の部材の圧接面内に含まれ、前記軸に略直交する軸回りで回動可能となるように保持することを特徴とする請求項１１に記載の光学機器。
【手続補正２】
【補正対象書類名】明細書
【補正対象項目名】０００９
【補正方法】変更
【補正の内容】
【０００９】
また、本発明の他の側面としての光学機器は、レンズと、電気−機械エネルギー変換作用により振動が励起される振動部材および該振動部材と圧接する接触部材を含み、レンズを光軸方向に駆動する振動型リニアアクチュエータとを有する。そして、振動部材および接触部材のうち一方の部材を、該一方の部材の圧接面内に含まれる軸（ｘ）回りで回動可能となるように保持する保持機構を有する。
【手続補正３】
【補正対象書類名】明細書
【補正対象項目名】００１９
【補正方法】変更
【補正の内容】
【００１９】
光量調節ユニット１５は、光軸方向から見て左右方向よりも上下方向に長い外形形状を有する。この光量調節ユニット１５は、ビス１７により後部鏡筒５に固定されている。この光量調節ユニット１５は、詳細は図示しないが、一対の絞り羽根をステッピングモータ（メータ）により回動されるレバーによって上下方向に略平行移動させることにより、開口径を増減させるいわゆるギロチン型の絞りである。
【手続補正４】
【補正対象書類名】明細書
【補正対象項目名】００２０
【補正方法】変更
【補正の内容】
【００２０】
１８は磁石と弾性部材とを接合して構成されたスライダ（接触部材）であり、第２レンズ保持部材１２に形成された溝部１２ｃ内に接着等で固定されている。１９は電気−機械エネルギー変換素子と該電気−機械エネルギー変換素子により振動が励起される板状の弾性部材とにより構成される振動子である。ここで、該振動子１９の弾性部材は強磁性体であり、該強磁性体がスライダ１８の磁石と引き合うことにより、スライダ１８の弾性部材の圧接面１８ａと振動子１９の弾性部材において光軸方向２箇所に形成された圧接面１９ａ，１９ｂとが圧接される。
【手続補正５】
【補正対象書類名】明細書
【補正対象項目名】００２２
【補正方法】変更
【補正の内容】
【００２２】
２１，２２は球形状の部材であり、本実施例では、鋼球が用いられている。これら鋼球２１，２２は、図５に示すように、スライダホルダ（第２の保持機構）２４の両端部に設けられたＶ溝部２４ｂ，２４ｃ内に配置されている。２３はスライダホルダ枠、２５は板ばね、２８は振動子支持部材（第１の保持機構）、２９は圧縮コイルバネである。スライダホルダ枠２３は、ビス２６，２７により第１レンズ保持部材６に固定されている。スライダホルダ２４は、スライダホルダ枠２３に形成されたＶ溝部２３ａ，２３ｂ内に鋼球２１，２２を配置するようにしてスライダホルダ枠２３により保持される。これにより、図４〜図６に示すように、スライダホルダ２４は、鋼球２１，２２の中心を結んだ軸（第３の軸）２４ｄ回りで回動可能となる（図４参照）。軸２４ｄは、スライダ１８の圧接面１８ａに略平行に設定されており、特に本実施例では、実質的にスライダ１８の圧接面１８ａ内に含まれるように、すなわち圧接面１８ａ内又は圧接面１８ａに近接して該圧接面１８ａと同等とみなせる面内に含まれるように設定されている。また、本実施例では、軸２４ｄは、スライダ１８の圧接面１８ａの幅方向（長手方向に直交する方向）の略中心に位置する。なお、本明細書において、「略中心」、「略平行」および「略直交」とは、中心、平行および直交とそれらに対して誤差範囲内等にあって近似的に同等とみなせる位置や状態を含む意味である。
【手続補正６】
【補正対象書類名】明細書
【補正対象項目名】００２８
【補正方法】変更
【補正の内容】
【００２８】
振動子支持部材２８は、その光軸方向の両端に軸部２８ｃ，２８ｄを有し、該軸部２８ｃ，２８ｄが第２レンズ保持部材１２のガイド用の係合部１２ａに隣接するように形成された穴部（回動部材）１２ｃ，１２ｄに係合することで、両軸部２８ｃ，２８ｄの中心を通る軸２８ｆ回りにて回動可能に保持される。軸２８ｆは、図６に示すように、上記軸２８ｅの延長線上にて、該延長線に対して略直交するように設定されている。振動子支持部材２８が軸２８ｆ回りにて回動することにより、振動子１９は、その圧接面（接触面）に直交する軸（第２の軸）１９ｅの方向に移動できる。
【手続補正７】
【補正対象書類名】明細書
【補正対象項目名】００３６
【補正方法】変更
【補正の内容】
【００３６】
３９はビス４２，４３により後部鏡筒５に固定された振動子保持部材であり、この振動子保持部材３９には、ビス４２，４３により板バネ３８が固定されている。